(57)【要約】【課題】根菜類収獲機の作業員が収納コンテナに収納する際に、作業開始の初期にコンテナ底面に対して腰をかがめて収納するためきつい作業になっている。【解決手段】自走可能な走行車の上に備えられ、走行車上の左右一方側位置に圃場に植えられた根菜の茎葉部を挟持して根菜類を掘り上げる掘上装置と、掘り上げた根菜類を挟持して後上方向に搬送する挟持搬送体と、挟持搬送体から送られてくる根菜類を横臥姿勢で載置可能な受台とを配置し、走行車上の左右他方側位置の前部位置に操縦部と、操縦部の後部位置に着脱自在に根菜収納コンテナを配設し、受台と根菜収納コンテナに接した位置に作業員作業フロアを設けた根菜類の収獲機である。前記、根菜収納コンテナが載置する作業フロアに昇降手段を具備して収納作業員に対して収納コンテナ底面高さを調整可能に構成したことによって、作業員は腰をかがめることなく適正な姿勢でコンテナ納入作業が可能になる。【選択図】      図３
2004215628.tif 000002
【特許請求の範囲】
【請求項１】
自走可能な走行車の上に備えられ、走行車上の左右一方側位置に圃場に植えられた根菜の茎葉部を挟持して根菜類を掘り上げる掘上装置と、掘り上げた根菜類を挟持して後上方向に搬送する挟持搬送体と、挟持搬送体から送られてくる根菜類を横臥姿勢で載置可能な受台とを配置し、走行車上の左右他方側位置の前部位置に操縦部と、操縦部の後部位置に着脱自在に根菜収納コンテナを配設し、受台と根菜収納コンテナに接した位置に作業員作業フロアを設けるとともに、根菜収納コンテナが載置する作業フロアに昇降手段を具備して収納作業員に対して収納コンテナ底面高さを調整可能に構成したことを特徴とする根菜類の収獲機。
【発明の詳細な説明】
【０００１】
【発明の属する技術分野】
本発明は、大根，人参，ごぼう等の根菜類の収獲機に関する。
【０００２】
【従来の技術】
根菜類の収獲機の公知技術としては同一出願人による特開２０００−２７０６４４号公報が提案されている。この公報には「特に根菜類を挾持して搬送する掘り上げ装置の上下昇降作用と搬送コンベア装置の前端部を連動可能に連結したので、挾持搬送体によって送られる根菜は常に一定の横臥姿勢で搬送コンベアの搬送面に載置移送される。その後、作業員は作業フロアで余裕を持って収納コンテナへの移動ができる。掘り上げ速度を速くして能率を上げようとする場合は作業員を２〜３名に増やして、搬送コンベア長さ全域で収納コンテナへの移動作業が可能である」装置の技術が開示されている。
【０００３】
【発明が解決とようとする課題】
従来例の根菜収獲機は作業員が一定姿勢で搬送される根菜を能率よくスムーズに収納コンテナへ移動収納させるものである。しかし根菜をコンテナに収納する場合、収納初期は作業員が腰を曲げてコンテナの底面に整列されて置くことになり、長時間の作業の場合は重労働となる問題があった。特に大根は１本の重量が１．２ｋｇ〜２．０ｋｇの重い根菜であり、かつ衝撃に弱く、搬送体からの落下の打撃や作業員がコンテナの空状態で無雑作に放擲した時には、折れたり傷ができて商品価値がなくなる危険性が高い。
【０００４】
【課題を解決するための手段】
前記した課題を解決するために、自走可能な走行車の上に備えられ、走行車上の左右一方側位置に圃場に植えられた根菜の茎葉部を挟持して根菜類を掘り上げる掘上装置と、掘り上げた根菜類を挟持して後上方向に搬送する挟持搬送体と、挟持搬送体から送られてくる根菜類を横臥姿勢で載置可能な受台とを配置し、走行車上の左右他方側位置の前部位置に操縦部と、操縦部の後部位置に着脱自在に根菜収納コンテナを配設し、受台と根菜収納コンテナに接した位置に作業員作業フロアを設けるとともに、根菜収納コンテナが載置する作業フロアに昇降手段を具備して収納作業員に対して収納コンテナ底面高さを調整可能に構成したことを特徴とする根菜類の収獲機を提供したものである。
【０００５】
【作用】
前記のとおりの構成で、根菜収納コンテナが載置する部分の作業フロアに上下昇降手段を具備して、作業員に対して収納コンテナ底面高さを調整可能に構成したので、作業員は作業開始時の収納初期は収納コンテナの底面に向けて腰をかがめない適正姿勢で投入可能な高さに設定して収納作業を続ける。次第に根菜の投入量が嵩んだ時点で収納コンテナを降下させると、適正な投入高さを保持できて軽作業となり、根菜に打撃を与えたり傷つけることもなくなった。
【０００６】
【実施例】
本発明を実施した図面に基づいて構成を説明する。
図１は本発明を実施した側面図で一部を省略したものである。図２は同じく平面図、図３は同じく後面図を示したもので、図４は作業フロアの昇降リンク説明図である。
【０００７】
この発明による根菜類の収獲機は、クローラにより自走可能な走行車１と、走行車１上の左右一方側位置、この実施例では走行車１上の左側に茎葉部を挟持して根菜類を掘り上げる掘上装置２と、掘り上げた根菜類を挟持して後上方向に搬送する挟持搬送体３と、挟持搬送体３から送られてくる根菜類を位置決めする位置決め搬送体４と、挟持搬送体３から送られてくる根菜類の根菜部を挟持し、さらに茎葉部を切断された根菜部を搬送コンベア装置８に搬送する根菜搬送体５と、切断された茎葉部を搬送する茎葉搬送体６と、茎葉部を連続して切断する切断装置７と、茎葉部を切断された根菜部を横臥姿勢で載置可能な受け面を有する搬送コンベア装置８とを配設する。
【０００８】
走行車１上の左右他方側位置、この実施の形態では右側位置の前方位置に操縦部９を配設する。さらに走行車１上の操縦部の後部位置フロア上に着脱自在に根菜収納コンテナ１１を設け、作業員作業フロア１２を配置している。この発明の実施例では位置決め搬送体４を設け、挟持搬送体３から根菜搬送体５へ根菜類の根菜部を送り、根菜搬送体５は根菜部を挟持して茎葉部を切断後に搬送コンベア装置８に搬送する。
【０００９】
作業フロア１２は、走行車１の前後方向の後部位置に設けられる。掘上装置２は地中にある大根を掘り起こす掘起刃１３と、大根の茎葉部を引き起こす爪付きチェーン部１４と、挟持搬送体３の先端部に当たる引抜部とからなる。挟持搬送体３は左右一対の弾性エンドレスベルトを前部を下方、後部を上方に位置させた斜め状に設け、ベルト対向面は互いに接して前部下方から後部上方に移動し回転する。挾持搬送体３の先端部は引抜部であり、左右の弾性エンドレスベルトの対向面が最初に接して後方へ移動する部位である。弾性エンドレスベルトは、合成樹脂、ゴム、スポンジ等の弾性のある素材で形成する。
【００１０】
位置決め搬送体４は、挟持搬送体３の後方に挟持搬送体３より水平方向との角度を緩やかにした角度で設けられる一対の弾性エンドレスベルトのベルト方向面を接してなり、挟持搬送体３によって搬送されてくる根菜類の吊り下げ位置を揃える。
【００１１】
根菜搬送体５は前部プーリを位置決め搬送体４の前部プーリと同じくし、その上部に設けられる一対の弾性エンドレスベルトのベルト対向面を接してなる。根菜搬送体５は位置決め搬送体４より後方に長く伸びており、後部の上方に茎葉搬送体６を設け、茎葉搬送体６との間に切断装置７を設ける。切断装置７は、下方の根菜搬送体５と上方の茎葉搬送体６との間で回転するカッターであり、カッター（回転刃）の位置を弾性エンドレスベルトのベルト対向面が接する位置に設ける。
【００１２】
茎葉搬送体６は爪付きエンドレスベルトからなり、切断装置７によって切断された根菜類の茎葉部のみを爪に引っ掛けて、茎葉排出シート１５に搬送する。切断された茎葉部は茎葉排出シート１５から圃場に排出される。掘上装置２の後方に位置する根菜搬送体５の後端下方に噛むように搬送コンベア装置８を設ける。茎葉部を切断された根菜部の下端を転輪に当てて、横臥姿勢で載置可能なコンベア１７受面を有する搬送コンベア装置８は、載置した根菜を一定方向に横臥して連続して搬送される。
【００１３】
操縦部９の後部にクレーン部１０を設ける。クレーン部１０は一部を省略しているが、走行車１の後部に設けたフロア上の前部、すなわち走行車１の前後方向の中央部に垂直方向に旋回柱１８を立設する。旋回柱１８の立設位置は根菜類の収獲機全体の重心位置に近接した位置に設ける。
【００１４】
走行車１上の後部作業位置フロア１２上に収納コンテナ１１を着脱自在に設ける。作業フロア１２は操縦部９の後部全面に配設される。収容コンテナ１１は走行車１上の右側に寄った位置に載置されるが、この収容コンテナ１１の底面に略一致する作業フロア部分は分割して、フロアテーブル１９を構成する。フロアテーブル１９は昇降手段２０によって上下昇降することによって、収納作業員に対して収納コンテナ１１底面高さを調節可能に構成している。
【００１５】
２１は油圧シリンダを示し昇降手段２０の上下制御するもので、作業フロア１２の前部に設けた操作スイッチ２２と連結されている。掘り取られた茎葉を切断された根菜が搬送コンベア装置８まで送られたとみろで、作業員は収容コンテナ１１へ移動収容することになる。この時、作業初期の段階では操作スイッチ２２を指示して電磁バルブの作動により油圧シリンダ２１を伸縮させ、フロアテーブル１９を上昇させて収納コンベア１１の底面を適正高さに設定して根菜を収容するものである。次第に投入量が嵩んだ時点で収納コンテナを降下させると、作業員の適正な姿勢を維持できる。
【００１６】
次にフロアテーブル１９の昇降作用について説明する。
図４において、フロアテーブル１９は一対のインナーリンク２４と一対のアウターリンク２５によって支持される。アウターリンク２５はベースフレーム２６の一端に支軸２７によって支持される。インナーリンク２４はフロアテーブル１９の下面側に支持される。
【００１７】
２８は一対のインナーリンク２４と一対のアウターリンク２５の中間点を連結している。２１の油圧シリンダは基部を支軸２７に連結し、上部をインナーリンク２４の上部に連結される。２３はローラを示し、前記したインナーリンク２４及びアウターリンク２５の自由端側に取り付けられるもので、油圧シリンダ２１の伸縮にともなって摺動するものである。
【００１８】
【発明の効果】
以上の構成のように構成したので、根菜収穫作業において作業フロア上の作業員は収納コンテナへの投入高さを、腰を曲げることなく適正な姿勢で連続投入作業ができるようになった。
【図面の簡単な説明】
【図１】本発明を実施した側面図で一部を省略したもの
【図２】同じく平面図
【図３】同じく後面図
【図４】作業フロアの昇降シリンダ説明図
【符号の説明】
１    走行車
２    掘上装置
３    挟持搬送体
４    位置決め搬送体
５    根菜搬送体
６    茎葉搬送体
７    切断装置
８    搬送コンベア装置
９    操縦部
１０    クレーン部
１１    収納コンテナ
１２    作業フロア
１３    堀起刃
１４    爪付きチェーン部
１５    茎葉排出シュート
１７    コンベア
１８    旋回柱
１９    フロアテーブル
２０    昇降手段
２１    油圧シリンダ
２２    操作スイッチ
２３    ローラ
２４    インナーリンク
２５    アウターリンク
２６    ベースフレーム
２７    支軸
２８    連結軸
【図１】
2004215628.tif 000003
【図２】
2004215628.tif 000004
【図３】
2004215628.tif 000005
【図４】
2004215628.tif 000006